(57)【要約】　　　（修正有）【課題】誘導加熱などによって容器の表面が加熱されると，使用者が容器の加熱状態を容易に認知可能な，新規かつ改良された加熱用調理容器を提供する。【解決手段】加熱される容器本体３２と，容器本体３２の外面に貼付され，温度の変化に応じて色が変わる変色部材フィルム４０と，変色フィルム４０の外面を覆うようにに形成され，耐熱性塗料による透明なコーティング層４２とを備える。容器本体３２は，誘導加熱により加熱されるものであってもよいようにしてもよい。【選択図】　　図２
0003098808.tif 000002
【実用新案登録請求の範囲】
【請求項１】
加熱される容器本体と，
前記容器本体の外面に設けられ，温度の変化に応じて色が変わる変色部材と，を備えることを特徴とする加熱用調理容器。
【請求項２】
前記変色部材は，前記容器本体の外面に貼付され，温度の変化に応じて色が変わる変色部材フィルムにより構成され，
前記変色フィルムの外面には，この変色フィルムを覆うように，耐熱性塗料による透明なコーティング層が形成されることを特徴とする請求項１に記載の加熱用調理容器。
【請求項３】
前記容器本体は，誘導加熱により加熱されることを特徴とする請求項１又は２に記載の加熱用調理容器。
【請求項４】
前記変色部材は，温度に応じて色が変化する示温材料により，文字，図形，記号の群から選択された１つ又は２つ以上を組合わせたものが表されることを特徴とする請求項１〜３のいずれかに記載の加熱用調理容器。
【考案の詳細な説明】
【０００１】
【考案の属する技術分野】
本考案は，例えば誘導加熱（ｉｎｄｕｃｔｉｏｎ）により加熱される加熱用調理容器に関する。
【０００２】
【従来の技術】
従来，例えば誘導加熱によって加熱される加熱用調理容器は，図１に図示すように構成される。この加熱用調理容器１は，容器本体２とこの容器本体２の側部に設けられた取っ手４とからなる。容器本体２は，所定直径の底板１０と，底板１０の外郭が同心円状に湾曲するように上方に延長されて形成された側壁１１とを有する。上記取っ手２は，側壁１１の一側に取付けられている。
【０００３】
ここで，側壁１１は，内面には底板１０と共にテフロン（登録商標）樹脂によるコーティング層が形成され，外面には耐熱性ペイントが塗られている。
【０００４】
このような従来の加熱用調理容器は，ストーブの上面に底板を密着させた状態で使用して底板を発熱させることにより，底板の上面にのせられた飲食物を加熱するものである。
【０００５】
【考案が解決しようとする課題】
しかしながら，このような従来の加熱用調理容器は，例えばストーブなどの熱源の上面に載置して使用する際，既に温度が相当に上昇しても温度の上昇を感知することが難しいという問題があった。特に誘導加熱により加熱する場合には，誘導加熱の特性上，火が見えないから温度が相当上昇しても分り難かった。
【０００６】
そこで，本考案は，このような問題に鑑みてなされたもので，その目的とするところは，誘導加熱などによって容器の表面が加熱されると，使用者が容器の加熱状態を容易に認知可能な，新規かつ改良された加熱用調理容器を提供することである。
【０００７】
【課題を解決するための手段】
上記課題を解決するため，本考案によれば，加熱される容器本体と，前記容器本体の外面に設けられ，温度の変化に応じて色が変わる変色部材とを備えることを特徴とする加熱用調理容器が提供される。また，上記変色部材は，前記容器本体の外面に貼付され，温度の変化に応じて色が変わる変色部材フィルムにより構成され，前記変色フィルムの外面には，この変色フィルムを覆うように耐熱性塗料による透明なコーティング層が形成されることが好ましい。
【０００８】
このような本考案によれば，容器本体が加熱されると，容器本体の温度が変化し，その温度変化に応じて変色フィルタの色が鮮明に変化する。これにより，容器本体の温度変化を変色フィルタの色の変化によって容易に認識できる。
【０００９】
また，上記容器本体は，誘導加熱により加熱されるものであってもよい。このように，誘導加熱により加熱する場合には，火が見えないので使用者が油断し易いことから，火が見えなくても容器本体の温度変化を容易に認識できる点で効果が大きい。
【００１０】
また，上記変色部材は，温度に応じて色が変化する示温材料により，文字，図形，記号の群から選択された１つ又は１つ以上を組合わせものが表示されるものであってもよい。これにより，変色によって表出される絵や文字などにより使用者の注意を払わせることができる。
【００１１】
【考案の実施の形態】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１２】
先ず，本考案にかかる加熱用調理容器の構成を図面を参照しながら説明する。本実施の形態は，加熱用調理容器として誘導加熱により加熱する誘導加熱用の調理容器（又は厨房容器）に適用した場合である。図２は，誘導加熱用調理容器の外観構成を示す斜視図である。図３は，誘導加熱用調理容器の一部断面図である。
【００１３】
図２及び図３に示すように，誘導加熱用調理容器３０は加熱される容器本体３２と，容器本体３２とこの容器本体３２の側部に設けられた取っ手３４とからなる。容器本体３２は，所定直径の底板３６と，底板３６の外郭が同心円状に湾曲するように上方に延長されて形成された側壁３８とを有する。上記取っ手３４は，側壁３８の一側に取付けられている。
【００１４】
容器本体３２の外面例えば外側面には，温度の変化に応じて色（色相）が変わる変色部材例えば変色フィルム４０が貼られる。変色フィルム４０は例えばある一定温度以上に加熱されると色が変化する示温（ｔｈｅｒｍｏｃｈｒｏｍｉｃ）材料により色の変化を実現することができる。示温材料としては例えば示温顔料，示温インキなどがある。
【００１５】
例えば変色フィルム４０を示温材料で構成することにより，それぞれ様々な色に変わり，加熱によって変わる前と変わった後の表現が全く異なることになり，温度が変化したことを容易に認識することができる。
【００１６】
また，変色フィルム４０を，使用者の注意を払わせることが可能な図案化された絵や文字などを示温インキなどの示温材料によって表現することにより，一定の温度以上に容易本体３２が加熱されると，その図案化された絵や文字などが変色によって鮮明に表現される。これにより，容易に温度変化を認識することができる。なお，示温材料によって表されるものとしては，文字，図形，記号の群から選択された１つ又は２つ以上を組合わせたものであってもよい。
【００１７】
このように，本考案にかかる加熱用調理容器によれば，変色によって表出される絵や文字などが使用者の注意を払わせることができる。これにより，加熱用調理容器の使用上の安全性を向上させることができる。
【００１８】
さらに，この変色フィルム４０の外面には，変色フィルム４０を覆うように，透明な耐熱性塗料によるコーティング層４１が形成される。例えば，変色フィルム４０は，水転写によって容器本体３２の外面の外側面に貼付し，外面を透明な耐熱性塗料などでコートしてもよい。これにより，変色フィルム４０が水や熱によって変形しないようにすることができる。
【００１９】
以上，添付図面を参照しながら本考案の好適な実施形態について説明したが，本考案はかかる例に限定されない。当業者であれば，実用新案登録請求の範囲に記載された技術的思想の範疇内において各種の変更例または修正例に想到し得ることは明らかであり，それらについても当然に本考案の技術的範囲に属するものと了解される。
【００２０】
例えば，本考案は，加熱用調理容器３０の容器本体３２を火で加熱するものであってもよく，また加熱用調理容器３０の容器本体３２を金属で構成して，誘導加熱により熱伝導させて加熱するものに適用してもよい。また容器本体３２を金属は必ずしも金属で構成する必要はなく，セラミックなどの絶縁体で構成した場合には，その誘電性の容器本体３２に被加熱物を入れて容器本体３２を誘導加熱して熱伝達させる間接加熱方式をとってもよい。このように誘導加熱により加熱する場合には，特に火が見えないので使用者が油断し易いことから，火が見えなくても容器本体の温度変化を容易に認識できる点は効果が大きい。
【００２１】
また，本考案にかかる加熱用調理容器は，例えば鍋，釜など様々な加熱用調理容器に適用できる。
【００２２】
【考案の効果】
以上説明したように，本考案によれば，加熱用調理容器が加熱されて一定の温度以上になると，変色によって，色相が変わる前と変わった後の視覚的な面が対比されて容器の状態を容易に認識できるようにするとともに，変色によって表出される絵や文字などが使用者の注意を払わせることができる。これにより，加熱用調理容器の使用上の安全性を向上させることができる。
【図面の簡単な説明】
【図１】従来の加熱用調理容器を示す斜視図である。
【図２】本考案にかかる加熱用調理容器を示す斜視図である。
【図３】本考案にかかる加熱用調理容器の側断面図である。
【符号の説明】
３０　　　加熱用調理容器
３２　　　容器本体
３４　　　取っ手
３６　　　底板
４０　　　変色フィルム
４２　　　コーティング層
【図１】
0003098808.tif 000003
【図２】
0003098808.tif 000004
【図３】
0003098808.tif 000005